(57)【要約】【課題】遺物に対して容易に注記を印刷することが可能な遺物用注記印刷装置を提供する。【解決手段】遺物用注記印刷装置１に、遺物が載置されるテーブル１１、インクを吐出する印字ヘッド１２、遺物の印刷開始位置に光を照射するポインター１３、印字ヘッド１２を横行させる横行機構１４、印字ヘッド１２を昇降させる昇降機構１５、昇降機構１５により印字ヘッド１２を昇降させるための昇降スイッチ１６、を有しているテーブル装置１０と、遺物に印刷する注記を入力するための注記入力装置２０と、注記入力装置２０から入力された注記に基づき印字ヘッド１２を制御してインクを吐出させると共に、横行機構１４により印字ヘッド１２を横行させるプリンタ本体３０と、注記の印刷を開始させるための印刷開始スイッチ４０と、具備させる。【選択図】図１
2018183920.tif 000002
【特許請求の範囲】
【請求項１】
遺物が載置されるテーブル、該テーブル上の遺物にインクを吐出する印字ヘッド、該印字ヘッドによる前記テーブル上の遺物の印刷開始位置に光を照射するポインター、前記テーブルに対して前記印字ヘッドを横行させる横行機構、前記テーブルに対して前記印字ヘッドを昇降させる昇降機構、該昇降機構により前記印字ヘッドを昇降させるための昇降スイッチ、を有しているテーブル装置と、
前記テーブル上の遺物に印刷する注記を入力するための注記入力装置と、
該注記入力装置から入力された注記に基づき前記印字ヘッドを制御してインクを吐出させると共に、前記横行機構により前記印字ヘッドを横行させるプリンタ本体と、
該プリンタ本体により注記の印刷を開始させるための印刷開始スイッチと
を具備していることを特徴とする遺物用注記印刷装置。
【請求項２】
前記横行機構は、前記テーブルに対して横行する横行スライダを有しており、且つ、
前記昇降機構は、前記横行スライダに取付けられている
ことを特徴とする請求項１に記載の遺物用注記印刷装置。
【発明の詳細な説明】
【技術分野】
【０００１】
本発明は、発掘調査により出土した遺物に注記を印刷するための遺物用注記印刷装置に関するものである。
【背景技術】
【０００２】
発掘調査により出土した土器、石器、木器、金属器、等の遺物に、遺跡名、遺構、出土層、出土年月日、等の出土情報を注記として記入するようにしている。遺物として、例えば、土器の場合、多数に割れた破片の状態で出土することが多いため、各破片に手書きで注記を記入すると、手間と時間がかかる問題があった。
【０００３】
この問題に対して、遺物に注記を印刷する装置として、左右にスライドするスライドテーブルと、スライドテーブルの移動量を検知するエンコーダと、スライドテーブルの上方に下方へ向けてインクを吐出するインクジェットプリンタのヘッド部と、を備えたものが提案されている（特許文献１）。この特許文献１の技術では、スライドテーブルに遺物を載置した状態で、スライドテーブルをスライドさせると、エンコーダにより検知されたスライドテーブルの移動量に合わせて、ヘッド部からインクを吐出させることで、遺物に注記を印刷している。
【０００４】
しかしながら、特許文献１の技術では、遺物を載置したスライドテーブルをスライドさせる必要があるため、スライド中に遺物がスライドテーブルに対して相対的に動かないように固定しなければならず、手間がかかる問題があった。
【０００５】
また、特許文献１の技術では、スライドテーブルの移動量によりヘッド部からインクを吐出しているため、スライドテーブルをスライドさせる移動量が注記の文字列の長さよりも短いと、注記の途中までしか印刷されない問題があった。更に、特許文献１の技術では、スライドテーブルの移動によりヘッド部からインクを吐出させるようにしているため、遺物に対する注記の印刷位置を調整する際に、スライドテーブルが移動してしまうと、ヘッド部からインクが勝手に吐出されて遺物やスライドテーブルにインクが付着してしまい、遺物やスライドテーブルが汚れてしまう問題があった。
【先行技術文献】
【特許文献】
【０００６】
【特許文献１】登録実用新案第３０１２５３６号公報
【発明の概要】
【発明が解決しようとする課題】
【０００７】
そこで、本発明は、上記の実情に鑑み、遺物に対して容易に注記を印刷することが可能な遺物用注記印刷装置の提供を課題とするものである。
【課題を解決するための手段】
【０００８】
上記の課題を解決するために、本発明に係る遺物用注記印刷装置は、「遺物が載置されるテーブル、該テーブル上の遺物にインクを吐出する印字ヘッド、該印字ヘッドによる前記テーブル上の遺物の印刷開始位置に光を照射するポインター、前記テーブルに対して前記印字ヘッドを横行させる横行機構、前記テーブルに対して前記印字ヘッドを昇降させる昇降機構、該昇降機構により前記印字ヘッドを昇降させるための昇降スイッチ、を有しているテーブル装置と、前記テーブル上の遺物に印刷する注記を入力するための注記入力装置と、該注記入力装置から入力された注記に基づき前記印字ヘッドを制御してインクを吐出させると共に、前記横行機構により前記印字ヘッドを横行させるプリンタ本体と、該プリンタ本体により注記の印刷を開始させるための印刷開始スイッチとを具備している」ことを特徴とする。
【０００９】
ここで、「印字ヘッド」としては、「コンティニュアス型（連続インクジェット）」、「オンデマンド型サーマル方式インクジェット」、「オンデマンド型ピエゾ方式インクジェット」、を例示することができる。
【００１０】
また、「横行機構」と「昇降機構」との関係については、「横行機構の横行スライダに昇降機構が取付けられているもの」、「昇降機構の昇降スライダに横行機構が取付けられているもの」、を例示することができる。
【００１１】
更に、「印刷開始スイッチ」としては、「手で押圧操作するハンドスイッチ」、「足で押圧操作するフットスイッチ」、「音声で操作する音声スイッチ」、を例示することができる。
【００１２】
また、テーブルへの遺物の載置としては、「テーブルに遺物を直接載置」、「テーブルに載置された台に遺物を載置」、「テーブル上の作業者の手に載置又は把持」、を例示することができる。
【００１３】
本発明の遺物用注記印刷装置によれば、テーブル上に載置されている遺物に注記を印刷する際に、横行機構により印字ヘッドを横行させているため、テーブルを横行させる場合と比較して、遺物を載せただけで良く、遺物の載置にかかる手間を容易なものとすることができる。また、印字ヘッドからのインクの吐出に合わせて、横行機構により印字ヘッドを横行させているため、特許文献１の技術のように、移動量が注記の文字列の長さよりも短くなるようなことはなく、注記の全体を確実に遺物に印刷させることができる。
【００１４】
また、昇降スイッチを操作することで、昇降機構により印字ヘッドを昇降させることができるため、遺物の大きさに合わせて印字ヘッドの高さを調整することができ、様々な大きさの遺物に対応することができる。更に、昇降機構により印字ヘッドを昇降させることができるため、印字ヘッドを昇降させることで遺物と印字ヘッドとの間の距離を、印刷に最適な距離に調整することができ、遺物に対して注記を見易く（綺麗に）印刷することができる。また、昇降機構により印字ヘッドを昇降させることができるため、テーブルに遺物を載置する際に、印字ヘッドを上昇させてテーブルから遠ざけておくことで、テーブルに対して遺物の載置作業を行い易いものとすることができる。
【００１５】
更に、印刷開始スイッチを備えていることから、印刷開始スイッチを操作しない限り、印字ヘッドからインクが勝手に吐出されないため、勝手に吐出されたインクにより遺物やテーブル等が汚れてしまうことを回避させることができると共に、作業者の意図したタイミングで印字ヘッドからインクを吐出させることができ、遺物に対して注記を確実に印刷させることができる。
【００１６】
ところで、遺物に対して印字ヘッドが離れていることから、遺物のどの位置に注記が印刷されるのかが判り難いため、希望の位置に注記が印刷されなかった場合、印刷した注記を消して印刷をやり直すこととなり、手間がかかる問題がある。これに対して、本発明では、印刷開始位置に光を照射するポインターを有しているため、ポインターの光を、遺物における注記を印刷したい位置に当てて印刷することで、希望の位置に注記を確実に印刷することができ、注記の印刷の作業性を向上させることができる。
【００１７】
また、本発明に係る遺物用注記印刷装置は、上記の構成に加えて、「前記横行機構は、前記テーブルに対して横行する横行スライダを有しており、且つ、前記昇降機構は、前記横行スライダに取付けられている」ことを特徴としても良い。
【００１８】
本発明の遺物用注記印刷装置によれば、横行機構により印字ヘッドと昇降機構とを横行させるようにしているため、昇降機構により印字ヘッドと横行機構とを昇降させるようにした場合と比較して、昇降機構では横行機構を昇降させる必要が無く、昇降機構により昇降させる重量が軽減されることとなり、簡単な構成の昇降機構としても上述した作用効果を奏することができ、遺物用注記印刷装置にかかるコストを低減させることができる。
【発明の効果】
【００１９】
以上のように、本発明の効果として、遺物に対して容易に注記を印刷することが可能な遺物用注記印刷装置を提供することができる。
【図面の簡単な説明】
【００２０】
【図１】本発明の一実施形態である遺物用注記印刷装置の全体構成を示す説明図である。
【図２】印刷する注記の入力画面を示す説明図である。
【図３】ロゴ漢字作成画面を示す説明図である。
【図４】（ａ）は遺物の印刷開始位置にポインターで光を照射した状態を示す平面図であり、（ｂ）は遺物に注記を印刷した状態を示す平面図である。
【発明を実施するための形態】
【００２１】
本発明の一実施形態である遺物用注記印刷装置１について、図１乃至図４を参照して詳細に説明する。本実施形態の遺物用注記印刷装置１は、発掘調査により出土した土器、石器、木器、金属器、等の遺物２に、遺跡名、遺構、出土層、出土年月日、等の出土情報を注記３として印刷するためのものである。遺物用注記印刷装置１は、遺物２が載置されるテーブル装置１０と、遺物２に印刷する注記３を入力するための注記入力装置２０と、遺物２への注記３の印刷を制御するプリンタ本体３０と、注記３の印刷を開始させるための印刷開始スイッチ４０と、を備えている。
【００２２】
テーブル装置１０は、遺物２が載置されるテーブル１１と、テーブル１１上の遺物２にインクを吐出する印字ヘッド１２と、印字ヘッド１２によるテーブル１１上の遺物２の印刷開始位置に光を照射するポインター１３と、テーブル１１に対して印字ヘッド１２を横行させる横行機構１４と、テーブル１１に対して印字ヘッド１２を昇降させる昇降機構１５と、昇降機構１５により印字ヘッド１２を昇降させるための昇降スイッチ１６と、を有している。
【００２３】
また、テーブル装置１０は、印字ヘッド１２を昇降機構１５に取付けている印字ヘッド取付部材１７と、昇降機構１５を横行機構１４に取付けている昇降機構取付部材１８と、テーブル装置１０のテーブル電源スイッチ１９と、を有している。
【００２４】
テーブル１１は、高さの低い箱状に形成されている。テーブル１１の前面に、昇降スイッチ１６とテーブル電源スイッチ１９とが設けられている。
【００２５】
印字ヘッド１２は、下端面にインクを吐出するノズルを有している。印字ヘッド１２は、プリンタ本体に設けられているポンプによってノズルから連続的に吐出されたインクを、超音波発信器により微小なインク粒にすると共に帯電させた上で、偏向電極により吐出方向を曲げて下方（遺物２）へ吐出させるコンティニュアス型のインクジェットプリンタのヘッドである。
【００２６】
本実施形態の印字ヘッド１２は、５０〜１００ｄｐｉの解像度でインクを吐出させることができる。また、印字ヘッド１２は、文字の高さ方向に対して２４〜４８ドットでインクを吐出させることができる。また、印字ヘッド１２から吐出されるインクは、黒色又は白色のアルコールベースインクである。アルコールベースインクを用いることで、作業者や作業環境にかかる負荷を軽減させることができる。また、インクの色は、注記３を印刷する遺物２の色に応じて使い分ける。
【００２７】
ポインター１３は、赤色ＬＥＤを用いたレーザー光を、点状又は線状に、照射することができるものである。このポインター１３は、光の照射方向を任意に変更することができるように、印字ヘッド１２に取付けられている。
【００２８】
横行機構１４は、テーブル１１の上面に取付けられている横行レール１４ａと、横行レール１４ａにスライド可能に取付けられている横行スライダ１４ｂと、テーブル１１の内部に取付けられている駆動部１４ｃと、駆動部１４ｃにより左右方向に移動するブラケット１４ｄと、ブラケット１４ｄと横行スライダ１４ｂとを連結している連結部材１４ｅと、を備えている。横行レール１４ａは、テーブル１１の上面における後端付近（図１の紙面において奥側）に取付けられている。
【００２９】
横行機構１４は、駆動部１４ｃに設けられているモータの駆動により、ボールねじを介してブラケット１４ｄを左右方向へ移動させることができる。そして、ブラケット１４ｄと横行スライダ１４ｂとを連結している連結部材１４ｅにより、横行スライダ１４ｂを左右方向へ横行させることができる。この横行スライダ１４ｂには、昇降機構取付部材１８が取付けられているため、印字ヘッド１２、昇降機構１５、及び、昇降機構取付部材１８等を、左右方向へ横行させることができる。
【００３０】
昇降機構１５は、昇降機構取付部材１８に取付けられている駆動部１５ａと、駆動部１５ａにより上下方向に移動する昇降スライダ１５ｂと、を備えている。昇降スライダ１５ｂには、印字ヘッド取付部材１７を介して印字ヘッド１２が取付けられている。
【００３１】
昇降機構１５は、駆動部１５ａに設けられているモータの駆動により、ボールねじを介して昇降スライダ１５ｂを上下方向へ移動させることができ、昇降スライダ１５ｂに取付けられている印字ヘッド取付部材１７を介して印字ヘッド１２を昇降させることができる。
【００３２】
昇降スイッチ１６は、テーブル１１の前面に設けられている。昇降スイッチ１６は、印字ヘッド１２を上昇させる上スイッチ１６ａと、印字ヘッド１２を下降させる下スイッチ１６ｂと、から構成されている。
【００３３】
印字ヘッド取付部材１７は、詳細な図示は省略するが、前後方向に延びており後端が昇降機構１５の昇降スライダ１５ｂに取付けられているベース部１７ａと、ベース部１７ａに前後方向へ移動可能に取付けられている前後スライダと、ベース部１７ａの前端に取付けられており回転させることで前後スライダを前後にスライドさせる円筒状のハンドル１７ｂと、を備えている。印字ヘッド取付部材１７の前後スライダに、印字ヘッド１２が取付けられている。
【００３４】
印字ヘッド取付部材１７は、印字ヘッド１２をテーブル１１の前後方向の中央付近に位置させることができると共に、ハンドル１７ｂを回転させることで印字ヘッド１２を前後方向へ移動させることができる。この印字ヘッド取付部材１７により、印字ヘッド１２が、平面視においてテーブル１１の前後方向の中央付近に位置している。
【００３５】
昇降機構取付部材１８は、横行機構１４の横行スライダ１４ｂに取付けられている平板状の基板部１８ａと、基板部１８ａから上方に延出している柱状部１８ｂと、柱状部１８ｂに上下方向へ移動可能に取付けられている移動ベース１８ｃと、移動ベース１８ｃを柱状部１８ｂに対して移動不能にロックするロックハンドル１８ｄと、を備えている。昇降機構取付部材１８は、移動ベース１８ｃに昇降機構１５の駆動部１５ａが取付けられている。昇降機構取付部材１８は、ロックハンドル１８ｄを操作してロックを解除することにより、移動ベース１８ｃを上下方向へ移動させることができる。
【００３６】
注記入力装置２０は、詳細な図示は省略するが、中央演算装置（ＣＰＵ）、記憶装置、キーボード２１、マウス２２、ディスプレイ２３、及びＵＳＢポート、等を有している汎用のパーソナルコンピュータである。注記入力装置２０は、ケーブル２４によりテーブル装置１０とプリンタ本体３０に接続されている。注記入力装置２０は、記憶装置に記憶されている注記用プログラムを実行させることで、テーブル装置１０及びプリンタ本体３０を制御して、テーブル１１上の遺物２に注記３を印刷させることができる。
【００３７】
注記入力装置２０において注記用プログラムを実行させると、ディスプレイ２３に注記３の入力画面（図２を参照）が表示され、キーボード２１やマウス２２を使って、印字内容の入力欄に注記３の内容を入力することができる。本実施形態では、印字内容（注記３）を、最大で３段（３行）まで入力することができる。本実施形態では、ＵＳＢポートに、指定のプロテクトドングル（ワイブキーとも称す）を接続した状態でのみ、注記用プログラムを実行（起動）させることができる。
【００３８】
注記用プログラムでは、注記３に使用する文字として、アルファベット、数字、記号、ひらがな、カタカナ、等が予め用意されている。一方、漢字、ロゴ、特殊文字、等については、予め用意されていないため、ロゴ漢字作成画面（図３を参照）を開いて、漢字等を作成して登録することで、使用することができるようになる。本実施形態では、最小の高さが７ドット（２ｍｍ弱）の文字を作成することができる。
【００３９】
また、注記用プログラムでは、注記３に対して自動的に連番を割り振る機能（ＩＪＰカウンタ）を有している。連番は、注記３の３行のうちの何れかを指定することができと共に、桁数や開始番号も指定することができる。更に、注記用プログラムでは、横行機構１４による印字ヘッド１２の横行速度を設定することができる。横行速度を速くすると、文字の横方向の大きさが大きくなる。
【００４０】
プリンタ本体３０は、詳細な図示は省略するが、印字ヘッド１２から吐出させるインクが収容されているインクタンクと、インクタンク内のインクを印字ヘッド１２へ送るポンプと、インクが流通する流路を洗浄するための洗浄液が収容されている洗浄液タンクと、ポンプや印字ヘッド１２を制御する制御部と、稼働状態等を表示する表示部３１と、操作部３２と、を備えている。
【００４１】
プリンタ本体３０は、複合ケーブル３３により印字ヘッド１２と接続されている。複合ケーブル３３は、詳細な図示は省略するが、プリンタ本体３０から印字ヘッド１２へインクを送る送り管と、印字ヘッド１２からプリンタ本体３０へインクを戻す戻り管と、印字ヘッド１２に電力や制御信号を送る電気配線と、を有している。
【００４２】
本実施形態のプリンタ本体３０は、操作部３２を操作することで、プリンタ本体３０側でも遺物２に印刷する注記３を入力することができる。
【００４３】
印刷開始スイッチ４０は、手又は足で操作することができる押しボタン式のスイッチである。
【００４４】
次に、本実施形態の遺物用注記印刷装置１の使用方法について説明する。プリンタ本体３０、テーブル装置１０、注記入力装置２０順番に電源を入れて起動させる。テーブル装置１０では、起動すると、昇降機構１５により印字ヘッド１２が上昇すると共に、横行機構１４により印字ヘッド１２が左方へ移動する。注記入力装置２０が起動したら、注記用プログラムを実行させる。そして、図２に示す注記を入力する画面において、印刷内容の欄に、印刷したい注記３の内容を入力して、画面左下の「未転送」をクリックして、入力した注記３の内容をプリンタ本体３０に転送する。
【００４５】
続いて、テーブル装置１０のテーブル１１上に遺物２を載置する。そして、遺物２における注記３を印刷したい位置に、ポインター１３から光１３ａが照射されるように遺物２を移動させる（図４（ａ）を参照）と共に、昇降スイッチ１６を操作して、遺物２と印字ヘッド１２との間の距離が、１５ｍｍ前後となるように印字ヘッド１２の高さを調整する。
【００４６】
この状態で、印刷開始スイッチ４０を操作すると、印字ヘッド１２からインクが吐出されると共に、横行機構１４により印字ヘッド１２が右方へ移動し、遺物２に注記３が印刷される（図４（ｂ）を参照）。印刷が完了すると、横行機構１４により印字ヘッド１２が左方へ移動して最初の位置の状態となる。
【００４７】
このように、本実施形態の遺物用注記印刷装置１によれば、テーブル１１上に載置されている遺物２に注記３を印刷する際に、横行機構１４により印字ヘッド１２を横行させているため、テーブル１１を横行させる場合と比較して、遺物２を載せただけで良く、遺物２の載置にかかる手間を容易なものとすることができる。また、印字ヘッド１２からのインクの吐出に合わせて、横行機構１４により印字ヘッド１２を横行させているため、移動量が注記３の文字列の長さよりも短くなるようなことはなく、注記３の全体を確実に遺物２に印刷させることができる。
【００４８】
また、昇降スイッチ１６を操作することで、昇降機構１５により印字ヘッド１２を昇降させることができるため、遺物２の大きさに合わせて印字ヘッド１２の高さを調整することができ、様々な大きさの遺物２に対応することができる。更に、昇降機構１５により印字ヘッド１２を昇降させることができるため、印字ヘッド１２を昇降させることで遺物２と印字ヘッド１２との間の距離を、印刷に最適な距離に調整することができ、遺物２に対して注記３を見易く（綺麗に）印刷することができる。
【００４９】
また、昇降機構１５により印字ヘッド１２を昇降させることができるため、テーブル１１に遺物２を載置する際に、印字ヘッド１２を上昇させてテーブル１１から遠ざけておくことで、遺物２の載置作業を行い易いものとすることができる。
【００５０】
更に、印刷開始スイッチ４０を備えていることから、印刷開始スイッチ４０を操作しない限り、印字ヘッド１２からインクが勝手に吐出されないため、勝手に吐出されたインクにより遺物２やテーブル１１等が汚れてしまうことを回避させることができると共に、作業者の意図したタイミングで印字ヘッド１２からインクを吐出させることができ、遺物２に対して注記３を確実に印刷させることができる。
【００５１】
また、印刷開始位置に光１３ａを照射するポインター１３を有しているため、ポインター１３の光１３ａを、遺物２における注記３を印刷したい位置に当てて印刷することで、希望の位置に注記３を確実に印刷することができ、注記３の印刷の作業性を向上させることができる。
【００５２】
更に、横行機構１４により印字ヘッド１２と昇降機構１５とを横行させるようにしているため、昇降機構１５により印字ヘッド１２と横行機構１４とを昇降させるようにした場合と比較して、昇降機構１５では横行機構１４を昇降させる必要が無く、昇降機構１５により昇降させる重量が軽減されることとなり、簡単な構成の昇降機構１５としても上述した作用効果を奏することができ、遺物用注記印刷装置１にかかるコストを低減させることができる。
【００５３】
以上、本発明について好適な実施形態を挙げて説明したが、本発明は上記の実施形態に限定されるものではなく、本発明の要旨を逸脱しない範囲において、種々の改良及び設計の変更が可能である。
【００５４】
例えば、上記の実施形態では、テーブル１１に遺物を載置した上で、昇降スイッチ１６を操作して印字ヘッド１２の高さを調整する例を示したが、これに限定するものではなく、印字ヘッド１２との間の距離が適正な距離となるように、作業者が遺物２を手で持った状態で、印刷開始スイッチ４０を足で操作するようにしても良い。これにより、昇降スイッチ１６を操作して印字ヘッド１２の高さを調整する手間を省略することができるため、注記３の印刷作業をより容易なものとすることができ、短時間でより多くの遺物２に注記３を印刷することができる。
【００５５】
また、上記の実施形態では、横行機構１４により印字ヘッド１２と昇降機構１５とを横行させて昇降機構１５では印字ヘッド１２を昇降させるものを示したが、これに限定するものではなく、昇降機構１５により印字ヘッド１２と横行機構１４とを昇降させるようにしても良い。
【００５６】
更に、上記の実施形態では、注記入力装置２０とプリンタ本体３０とが別体で構成されているものを示したが、これに限定するものではなく、注記入力装置２０とプリンタ本体３０とが一体に構成されているものとしても良い。
【００５７】
また、上記の実施形態では、注記入力装置２０で実行される注記用プログラムにおいて、ロゴや漢字等が予め用意されていないものを示したが、これに限定するものではなく、ロゴや漢字等が予め用意されているものとしても良い。
【符号の説明】
【００５８】
１  遺物用注記印刷装置
２  遺物
３  注記
１０  テーブル装置
１１  テーブル
１２  印字ヘッド
１３  ポインター
１４  横行機構
１５  昇降機構
１６  昇降スイッチ
２０  注記入力装置
３０  プリンタ本体
４０  印刷開始スイッチ
【図１】
2018183920.tif 000003
【図２】
2018183920.tif 000004
【図３】
2018183920.tif 000005
【図４】
2018183920.tif 000006